(57)【要約】      （修正有）【課題】クーラントのような加工液を濾過して再利用可能にし、且つ未処理液・処理済液の供給手段が具備された濾過装置を提供する。【解決手段】未処理液が漏出しないフィルター１７と、該フィルター１７を収容するフィルター収容ボックス１８と、フィルター１７における供給管７の上端に送給管１９を接続する水中ポンプ２０と、フィルター収容ボックス１８に設けた処理済液の排出部２１と、水中ポンプ２０が投入された、工作機械側からの未処理液を貯溜する未処理液槽２２と、工作機械側への送給ポンプ２３が備えられた、排出部２１からの処理済液を貯溜する処理済液槽２４とを具備することで、フィルター１７を使用した濾過装置が提供可能になる。【選択図】図２
0003195606.tif 000002
【実用新案登録請求の範囲】
【請求項１】
筒状のフィルタ部材と、該フィルタ部材の上下面に結合する上下エンドプレートを備えたフィルタユニットを有し、前記上下エンドプレートに供給口を形成し、該供給口から前記フィルタユニット内に未処理液の供給管を挿入し、該供給管と供給口との間の密閉部材を有し、該密閉部材に前記供給管の貫通孔を形成し、該貫通孔の内周面に、前記密閉部材と前記供給管との密封手段を設け、前記フィルタユニットの内側からエンドプレートに当接し前記供給管と前記エンドプレートとの間を密封する第１の蓋状部を設け、前記供給管における前記フィルタユニットへの貫通部位の外周面に未処理液の流出口を設けた未処理液が漏出しないフィルターと、該フィルターの収容ボックスと、前記フィルターにおける前記供給管の上端に送給管を接続する水中ポンプと、前記フィルター収容ボックスに設けた処理済液の排出部とを具備していることを特徴とする濾過装置。
【請求項２】
前記水中ポンプが投入された、工作機械側からの未処理液を貯溜する未処理液槽と、工作機械側への送給ポンプが備えられた、前記排出部からの処理済液を貯溜する処理済液槽とを具備していることを特徴とする請求項１記載の濾過装置。
【考案の詳細な説明】
【技術分野】
【０００１】
本考案は、例えば工作機械で使用するクーラントの様な加工液を濾過して再利用可能にする濾過装置に関する。
【背景技術】
【０００２】
従来、工作機械での加工過程において、ワーク表面に加工液を供給しながら加工するので、使用後の加工液、即ち未処理液中にはスラッジ等の不純物が混入することから、未処理液を濾過して再利用することが行われている。
【０００３】
この未処理液用のフィルターとして、特許第４４６５４８６号公報（特許文献１）に記載のものがあり、具体的には、図３に示す様に、筒状のフィルタ部材１と、該フィルタ部材１の上下面に結合する上下エンドプレート２、３を備えたフィルタユニット４を有し、上下エンドプレート２、３の少なくとも一方には供給口５、６を形成し、該供給口５、６からフィルタユニット４内に挿入された未処理液の供給管７と供給口５、６との間を密閉する弾性を備えた密閉部材８、９を有し、該密閉部材８、９に供給管７の貫通孔10、11を形成し、該貫通孔10、11の内周面に密閉部材８、９と供給管７との密封手段12、13を設け、フィルタユニット４の内側からエンドプレート２、３に当接し供給管７とエンドプレート２、３との間を密封する第１の蓋状部14、15を設け、供給管７におけるフィルタユニット４への貫通部位の外周面に未処理液の流出口16、16a …を設けたフィルター17で、供給管７と密閉部材８、９の隙間からの未処理液の漏出を密封手段12、13で防止すること、及び密閉部材８、９が、エンドプレート２、３に当接する第１の蓋状部14、15が設けられ、且つ弾性を有することから、この第１の蓋状部14、15がフィルタユニット４の内部空間に供給された未処理液の圧力により変形しエンドプレート２、３に押し付けられ密着し、密閉部材８、９とエンドプレート２、３との隙間からの未処理液の漏出を防止することにより、未処理液が混ざらない清浄化された処理済液として再利用することが可能になる。
【先行技術文献】
【特許文献】
【０００４】
【特許文献１】特許第４４６５４８６号公報
【考案の概要】
【考案が解決しようとする課題】
【０００５】
しかし、上記従来技術にあっては、濾過装置の一部を構成するフィルターであるため、フィルターへの未処理液の供給手段及びフィルターを通過した処理済液の工作機械側への供給手段を備えた濾過装置としての具体性に欠けているなど、解決せねばならない課題があった。
【課題を解決するための手段】
【０００６】
本考案は、上記従来技術に基づく、未処理液・処理済液の供給手段が具備された濾過装置が実現されていない課題に鑑み、筒状のフィルタ部材と、該フィルタ部材の上下面に結合する上下エンドプレートを備えたフィルタユニットを有し、前記上下エンドプレートに供給口を形成し、該供給口から前記フィルタユニット内に未処理液の供給管を挿入し、該供給管と供給口との間の密閉部材を有し、該密閉部材に前記供給管の貫通孔を形成し、該貫通孔の内周面に、前記密閉部材と前記供給管との密封手段を設け、前記フィルタユニットの内側からエンドプレートに当接し前記供給管と前記エンドプレートとの間を密封する第１の蓋状部を設け、前記供給管における前記フィルタユニットへの貫通部位の外周面に未処理液の流出口を設けた未処理液が漏出しないフィルターと、該フィルターの収容ボックスと、前記フィルターにおける前記供給管の上端に送給管を接続する水中ポンプと、前記フィルター収容ボックスに設けた処理済液の排出部とを具備し、工作機械側で貯留された未処理液を水中ポンプにより吸い上げ送給管を経てフィルター内に送り込み、該フィルターにおけるフィルタ部材を通過して清浄化された処理済液を一旦フィルター収容ボックスに貯留し、該フィルター収容ボックスの排出部から工作機械側の加工液貯溜手段に戻すことによって、加工液の循環使用を可能にして、上記課題を解決する。
【考案の効果】
【０００７】
要するに本考案は、未処理液が漏出しないフィルターと、該フィルターの収容ボックスと、前記フィルターにおける前記供給管の上端に送給管を接続する水中ポンプと、前記フィルター収容ボックスに設けた処理済液の排出部とを具備しているので、上記従来技術に記載のフィルターを使用した、工作機械側に貯留された未処理液を完全に清浄化された処理済液にして工作機械側へ供給可能な濾過装置を提供することが出来る。
【０００８】
前記水中ポンプが投入された、工作機械側からの未処理液を貯溜する未処理液槽と、工作機械側への送給ポンプが備えられた、前記排出部からの処理済液を貯溜する処理済液槽とを具備しているので、フィルターの近くに未処理液貯溜施設及び処理済液貯留施設を集約することが出来るため、管理・メンテナンス作業の簡易化を図ることが出来る等その実用的効果甚だ大である。
【図面の簡単な説明】
【０００９】
【図１】本考案に係る濾過装置の概略図である（実施例１）。
【図２】本考案に係る濾過装置の概略図である（実施例２）。
【図３】図１、２の濾過装置に使用するフィルターの断面図である。
【考案を実施するための形態】
【００１０】
本考案に係る濾過装置にあっては、基本的に、上記フィルター17と、該フィルター17の収容ボックス18と、フィルター17における供給管７の上端に送給管19を接続する水中ポンプ20と、フィルター収容ボックス18に設けた処理済液の排出部21とを有し、水中ポンプ20を未処理液貯留施設に投入すると共に、排出部21から加工液貯留施設に処理済液を送給可能にしている。
【実施例１】
【００１１】
図１は、本考案に係る濾過装置の実施例１の概略図であり、フィルター17、排出部21を有するフィルター収容ボックス18、及び送給管19が接続された水中ポンプ20を具備しており、水中ポンプ20は既存の未処理液貯留施設Ａに投入し、排出部21を既存の加工液貯留施設Ｂに処理済液を送給可能に接続している。
【００１２】
フィルター収容ボックス18にあっては、フィルター17を通過した処理済液を一旦貯溜する機能を有している。
【００１３】
排出部21にあっては、フィルター収容ボックス18の外側部に設けた、先端が下向きのＬ字管で、フィルター収容ボックス18に貯留された処理済液の液面が排出部21の位置に到達すると、該排出部21に処理済液が自動的に流入可能にしている。
【００１４】
次に、本考案に係る濾過装置の実施例１の作用について説明する。
先ず、未処理液貯留施設Ａ内の未処理液を水中ポンプ20により送給管19を介して吸い上げ、フィルター17の供給管７内に供給し流出口16、16a …よりフィルタユニット４内に送り込み、未処理液がフィルタ部材１を内側から外側へ通過する際に不純物を除去し、次に通過して清浄化された処理済液を一旦フィルター収容ボックス18に貯留し、該フィルター収容ボックス18の排出部21から加工液貯留施設Ｂに送給すれば、加工液の循環使用が可能になる。
【実施例２】
【００１５】
図２は、本考案に係る濾過装置の実施例２の概略図であり、実施例１と同様のフィルター17、排出部21を有するフィルター収容ボックス18、及び送給管19が接続された水中ポンプ20が具備されていると共に、水中ポンプ20が投入された、工作機械（図示せず）側からの未処理液を貯溜する未処理液槽22（未処理液貯留施設）と、工作機械側への送給ポンプ23が備えられた、排出部21からの処理済液を貯溜する処理済液槽24（加工液貯留施設）とを具備している。
【００１６】
フィルター収容ボックス18にあっては、未処理液槽22及び処理済液槽24の上方に配設され、又未処理液槽22及び処理済液槽24は１つの大きな槽を２つに仕切ることで形成し、処理済液槽24にあっては、フィルター収容ボックス18における排出部21の先端直下に配置している。
【００１７】
送給ポンプ23にあっては、処理済液槽24の上部に据え付け、下部の吸引口を処理済液面より下方に設定し、接続された送給管25の先端を工作機械側に接続している。
【００１８】
次に、本考案に係る濾過装置の実施例２の作用について説明する。
先ず、工作機械側から送出されてきた未処理液を未処理液槽22に貯留し、次に水中ポンプ20により送給管19を介して吸い上げられた未処理液をフィルター17の供給管７内に供給して流出口16、16a …よりフィルタユニット４内に送り込んで、未処理液がフィルタ部材１を内側から外側へ通過する際に不純物を除去し、次に通過して清浄化された処理済液を一旦フィルター収容ボックス18に貯留し、該フィルター収容ボックス18の排出部21から処理済液槽24内に処理液が落下して貯溜し、そして該処理済液槽24内の処理済液を送給ポンプ23により工作機械側へ送出すれば、加工液の循環使用が可能になる。
【符号の説明】
【００１９】
７  供給管
17  フィルター
18  フィルター収容ボックス
19  送給管
20  水中ポンプ
21  排出部
22  未処理液槽
23  送給ポンプ
24  処理済液槽
【図１】
0003195606.tif 000003
【図２】
0003195606.tif 000004
【図３】
0003195606.tif 000005